(57)【要約】【課題】光源からの照射光による輝度ムラを抑制し、かつ照射面を広範囲に亘って均一に照らす間接照明システム、及び該システムに使用する照明装置を提供すること。【解決手段】本発明の照明装置は、光源Ａ１２及び光源Ｂ１３と、光源Ａ１２及び光源Ｂ１３の出光方向に設けられ、光源Ａ１２及び光源Ｂ１３からの光を入光する入光面および／または光源からの光を出光する出光面に凹凸部が形成された光透過性パネル１４と、を備え、光源Ａ１２及び光源Ｂ１３は、１／２ビーム角が０．１度〜３０度であり、光透過性パネル１４は、光源Ａ１２及び光源Ｂ１３のうちの１つの光源の直上領域の拡散角度が、光源Ａ１２及び光源Ｂ１３のうちの他の１つの光源Ａ１２及び光源Ｂ１３の直上領域の拡散角度と異なり、かつ光源Ａ１２及び光源Ｂ１３の直上領域の拡散角度の最大値が１０度〜１２０度の範囲内にあることを特徴とする。【選択図】図３
2011014533.tif 000002
【特許請求の範囲】
【請求項１】
複数の光源と、前記複数の光源の出光方向に設けられ、前記複数の光源からの光を入光する入光面および／または前記光源からの光を出光する出光面に凹凸部が形成された光透過性パネルと、を備え、前記光源は、１／２ビーム角が０．１度〜３０度であり、前記光透過性パネルは、前記複数の光源のうちの１つの光源の直上領域の拡散角度が、前記複数の光源のうちの少なくとも他の１つの光源の直上領域の拡散角度と異なり、かつ前記複数の光源の直上領域の拡散角度の最大値が１０度〜１２０度の範囲内にあることを特徴とする照明装置。
【請求項２】
前記光透過性パネルは等方拡散性を有し、前記光透過性パネルにおいて前記複数の光源の直上領域の拡散角度の最大値と最小値との差が少なくとも２０度であることを特徴とする請求項１に記載の照明装置。
【請求項３】
前記光透過性パネルは異方拡散性を有し、前記光透過性パネルにおいて前記複数の光源の各直上領域での拡散角度が最大値を示す方向と最小値を示す方向とを有し、前記最大値を示す方向における前記複数の光源の直上領域の拡散角度の最大値と最小値の差が少なくとも２０度であることを特徴とする請求項１に記載の照明装置。
【請求項４】
前記光透過性パネルは異方拡散性を有し、前記光透過性パネルにおいて前記複数の光源の各直上領域での拡散角度が最大値を示す方向と最小値を示す方向とを有し、前記複数の光源の直上領域の異方度の差が１以上であることを特徴とする請求項１または請求項３に記載の照明装置。
【請求項５】
前記光透過性パネルは、前記複数の光源のうちの少なくとも１つの光源の直上領域において等方拡散性を有し、前記複数の光源のうちの少なくとも他の１つの光源の直上領域において異方拡散性を有することを特徴とする請求項１に記載の照明装置。
【請求項６】
前記光透過性パネルの前記拡散角度が、前記光源の直上領域からの距離に応じて異なることを特徴とする請求項１から請求項５のいずれか１項に記載の照明装置。
【請求項７】
前記光透過性パネルの前記拡散角度が、前記光源の直上領域からの距離に応じて、周期的に変化することを特徴とする請求項６に記載の照明装置。
【請求項８】
前記光透過性パネルの前記拡散角度が、前記光源の直上領域からの距離に応じて、連続的に変化することを特徴とする請求項６または請求項７に記載の照明装置。
【請求項９】
前記光透過性パネルの前記拡散角度が、前記光源の直上領域からの距離に応じて、不連続的に変化することを特徴とする請求項６または請求項７に記載の照明装置。
【請求項１０】
前記光透過性パネルが、拡散角度が０度である領域を前記複数の光源の光源間の直上に対応する領域に有することを特徴とする請求項１から請求項９のいずれか１項に記載の照明装置。
【請求項１１】
前記光透過性パネルが、光透過性を有する複数の単位パネルにより構成され、前記単位パネルが、各光源の直上を含む領域に配置されていることを特徴とする請求項１から請求項１０のいずれか１項に記載の照明装置。
【請求項１２】
請求項１から請求項１１のいずれか１項に記載の照明装置が、所定の照射面上または、前記照射面に対し垂直な方向に、一定の距離だけ離れた地点に配置され、かつ、前記照明装置から出光される光の最大光度を示す軸方向と前記照射面に対する平行線とがなす角度（θ）が０度〜３０度であることを特徴とする間接照明システム。
【請求項１３】
前記照明装置を構成する光透過性パネルが異方拡散性を示す領域を有し、かつ当該領域において前記照射面に対して平行方向の拡散角度が、前記照射面に対して直交方向の拡散角度よりも高いことを特徴とする請求項１２に記載の間接照明システム。
【請求項１４】
前記照明装置を構成する光透過性パネルが異方拡散性を示す領域を有し、かつ当該領域において前記照射面に対して平行方向の拡散角度の方が、前記照射面に対して直交方向の拡散角度よりも低いことを特徴とする請求項１２に記載の間接照明システム。
【請求項１５】
前記光源と前記照射面との間の距離が５０ｍｍ〜２００ｍｍであることを特徴とする請求項１２から請求項１４のいずれか１項に記載の間接照明システム。
【請求項１６】
前記光源と前記照射面との間の距離２５０ｍｍにおける前記照射面輝度をＡとし、前記光源と前記照射面との間の距離５００ｍｍにおける前記照射面輝度をＢとし、前記光源と前記所定の面との間の距離１０００ｍｍにおける前記照射面輝度をＣとした場合、Ａ／Ｂ及びＢ／Ｃが０．６〜３．０であることを特徴とする請求項１２から請求項１５のいずれか１項に記載の間接照明システム。
【請求項１７】
前記照射面が天井或いは壁面であることを特徴とする請求項１２から請求項１６のいずれか１項に記載の間接照明システム。
【請求項１８】
前記光源がＬＥＤであることを特徴とする請求項１２から請求項１７のいずれか１項に記載の間接照明システム。
【発明の詳細な説明】
【技術分野】
【０００１】
本発明は、照明装置及び間接照明システムに関するものである。
【背景技術】
【０００２】
住宅や店舗などにおける照明システムとして間接照明が昨今広く使用されるようになってきている。これは、空間の大部分のエリアにおいて光源を直接的に見ることがなく、直接光を目に入りにくくし、空間内の所定の面を照らすことにより、そこからのソフトな反射光で空間を明るくする照明システムである。例えば壁面を照明することは奥行き感を持たせて空間を広く見せる効果があると言われている。
【０００３】
一方、照明器具を天井や壁面に組み込み、建築構造と一体化させた建築化照明により壁面を照明する照明システムが広がりを見せ始めている。建築化照明に用いられる間接照明においては、天井を照らすコーブ照明、壁面を照らすコーニス照明、その他バランス照明、床面においては足元間接照明などの照明システムがあり、壁面照明用途としてはコーニス照明やバランス照明などが使われる。
【０００４】
この中でコーニス照明としては、例えば、部屋の壁の周囲を部分的に囲むように配置された構造をしているものが開示されている（例えば、特許文献１参照）。これらコーニス照明においては、壁面を広い範囲でできるだけ均一に照らすことが好ましい。コーニス照明の多くは光源として蛍光灯が用いられており、例えばニッポ電機社製シームレスライン照明器具などが挙げられる。しかしながら、蛍光灯光源は照射光が拡散性を有するため、光源近くの壁面輝度は高くなるが、例えば光源から５００ｍｍ程度離れると大幅に壁面輝度が低下してしまう。すなわち、照射光を床方向へ伸ばす効果が小さい。
【０００５】
蛍光灯光源と照射方向を規制するためのルーバーを組み合わせた照明器具が提案されている（例えば、特許文献２参照）。しかしながら、ルーバーを設置するため照明器具そのものが大きくなってしまうため、コーニス照明として用いるためには埋め込み部分を大きくしなければならないという問題がある。
【０００６】
ところで、近年においては、地球温暖化防止の観点から二酸化炭素の排出量削減が求められていること、及び長寿命で廃棄物の削減が可能であるとともに、有害物質を含まず環境保全に貢献できることから、白熱灯や蛍光灯にかわってＬＥＤ光源を具備する照明器具が多く使用されるようになってきている。
【０００７】
特に、ＬＥＤ光源は、発光効率が著しく向上しているため、ＬＥＤ光源を使用した照明器具は急速に普及が進んでおり、例えば、ＬＥＤ光源を複数個使用したライン照明器具も提案されている。しかしながら、指向性が強い点光源であるＬＥＤ光源を使用したこれらライン照明器具であっても、１／２ビーム角が４０度以上であるものが多く、例えばコーニス照明として用いた場合、照射光を床方向へ伸ばす効果は小さく、壁面を照らす範囲は非常に限定されている。
【０００８】
また、１／２ビーム角が３０度以下のダウンライトについての提案もなされているが、これをコー二ス照明に使用すると、光源から離れた壁面、例えば光源からの距離１０００ｍｍ程度まで明るく照らすことは可能であるが、逆に光源近くの輝度が低下してしまうため、照射光の均一性に欠けてしまう。すなわち、光源近傍の壁面から、光源から離れた壁面まで、輝度ムラを抑制しながら、同時に照射光を床方向へ伸ばすことは困難である。
【０００９】
さらに、複数のＬＥＤ光源と反射板を組み合わせて配光を制御し、広域を照射する照明装置についての提案もなされている（例えば、特許文献３参照）。しかしながら、照明装置により配光が決まってしまうため、照明器具の設置位置や、照射したい範囲の自由度が低いという問題がある。すなわち、設置したい位置に合わせて個々に配光制御した反射板を作製することが必要になり、実用性に劣るという問題を有している。
【００１０】
さらにまた、点状光源を凹面反射鏡の底部に配置し、その出光面側の一部分に発散レンズを配置することによって、壁面に広く帯状の光を照射する壁面照明装置が提案されている（例えば、特許文献４参照）。しかしながら、凹面反射鏡を有するため、設置スペースが必然的に大きくなってしまう問題がある。さらには、上記壁面照明装置においては、帯状の狭い領域しか照射できず、この照射領域を拡大するためには壁面照明装置をライン状に配列させる必要がある。しかしながら、その際に壁面において、各帯状の光によって照射されない領域が存在し、輝度ムラとなって現れてしまうという問題もある。
【００１１】
以上、本発明に関する従来の技術について説明してきたが、これまで、光源からの照射光の輝度ムラを抑え、所定の面を広い範囲で均一に照らす実用的な間接照明システムの提供ができていないのである。
【先行技術文献】
【特許文献】
【００１２】
【特許文献１】特表２００４−５０７１９６号公報
【特許文献２】特開平９−２７２０６号公報
【特許文献３】特開２００８−９８０８８号公報
【特許文献４】特開平６−６８７０１号公報
【発明の概要】
【発明が解決しようとする課題】
【００１３】
本発明は、かかる点に鑑みてなされたものであり、光源からの照射光による輝度ムラを抑制し、かつ照射面を広範囲に亘って均一に照らす間接照明システム、及び該間接照明システムに使用する照明装置を提供することを目的とする。
【課題を解決するための手段】
【００１４】
本発明者らは、上記課題を解決するために鋭意検討を重ねた結果、特定の１／２ビーム角を有する複数の光源の照射側に、特定の拡散角度を有する光透過性パネルを用いた照明装置を使用した間接照明システムにより上記の課題を解決できることを見出し、この知見に基づいて本発明を完成させるに至った。
【００１５】
本発明の照明装置は、複数の光源と、前記複数の光源の出光方向に設けられ、前記複数の光源からの光を入光する入光面および／または前記光源からの光を出光する出光面に凹凸部が形成された光透過性パネルと、を備え、前記光源は、１／２ビーム角が０．１度〜３０度であり、前記光透過性パネルは、前記複数の光源のうちの１つの光源の直上領域の拡散角度が、前記複数の点光源のうちの少なくとも他の１つの光源の直上領域の拡散角度と異なり、かつ前記複数の光源の直上領域の拡散角度の最大値が１０度〜１２０度の範囲内にあることを特徴とする。
【００１６】
本発明の照明装置においては、前記光透過性パネルは等方拡散性を有し、前記光透過性パネルにおいて前記複数の光源の直上領域の拡散角度の最大値と最小値との差が少なくとも２０度であることが好ましい。
【００１７】
本発明の照明装置においては、前記光透過性パネルは異方拡散性を有し、前記光透過性パネルにおいて前記複数の光源の各直上領域での拡散角度が最大値を示す方向と最小値を示す方向とを有し、前記最大値を示す方向における前記複数の光源の直上領域の拡散角度の最大値と最小値の差が少なくとも２０度であることが好ましい。
【００１８】
本発明の照明装置においては、前記光透過性パネルは異方拡散性を有し、前記光透過性パネルにおいて前記複数の光源の各直上領域での拡散角度が最大値を示す方向と最小値を示す方向とを有し、前記複数の光源の直上領域の異方度の差が１以上であることが好ましい。
【００１９】
本発明の照明装置においては、前記光透過性パネルは、前記複数の光源のうちの少なくとも１つの光源の直上領域において等方拡散性を有し、前記複数の光源のうちの少なくとも他の１つの光源の直上領域において異方拡散性を有することが好ましい。
【００２０】
本発明の照明装置においては、前記光透過性パネルの前記拡散角度が、前記光源の直上領域からの距離に応じて異なることが好ましい。
【００２１】
本発明の照明装置においては、前記光透過性パネルの前記拡散角度が、前記光源の直上領域からの距離に応じて、周期的に変化することが好ましい。
【００２２】
本発明の照明装置においては、前記光透過性パネルの前記拡散角度が、前記光源の直上領域からの距離に応じて、連続的に変化することが好ましい。
【００２３】
本発明の照明装置においては、前記光透過性パネルの前記拡散角度が、前記光源の直上領域からの距離に応じて、不連続的に変化することが好ましい。
【００２４】
本発明の照明装置においては、前記光透過性パネルが、拡散角度が０度である領域を前記複数の光源の光源間の直上に対応する領域に有することが好ましい。
【００２５】
本発明の照明装置においては、前記光透過性パネルが、光透過性を有する複数の単位パネルにより構成され、前記単位パネルが、各光源の直上を含む領域に配置されていることが好ましい。
【００２６】
本発明の間接照明システムは、上記照明装置が、所定の照射面上または、前記照射面に対し垂直な方向に、一定の距離だけ離れた地点に配置され、かつ、前記照明装置から出光される光の最大光度を示す軸方向と前記照射面に対する平行線とがなす角度（θ）が０度〜３０度であることを特徴とする。
【００２７】
本発明の間接照明システムにおいては、前記照明装置を構成する光透過性パネルが異方拡散性を示す領域を有し、かつ当該領域において前記照射面に対して平行方向の拡散角度が、前記照射面に対して直交方向の拡散角度よりも高いことが好ましい。
【００２８】
本発明の間接照明システムにおいては、前記照明装置を構成する光透過性パネルが異方拡散性を示す領域を有し、かつ当該領域において前記照射面に対して平行方向の拡散角度が、前記照射面に対して直交方向の拡散角度よりも低いことが好ましい。
【００２９】
本発明の間接照明システムにおいては、前記光源と前記照射面との間の距離が５０ｍｍ〜２００ｍｍであることが好ましい。
【００３０】
本発明の間接照明システムにおいては、前記光源と前記照射面との間の距離２５０ｍｍにおける前記照射面輝度をＡとし、前記光源と前記照射面との間の距離５００ｍｍにおける前記照射面輝度をＢとし、前記光源と前記所定の面との間の距離１０００ｍｍにおける前記照射面輝度をＣとした場合、Ａ／Ｂ及びＢ／Ｃが０．６〜３．０であることが好ましい。
【００３１】
本発明の間接照明システムにおいては、前記照射面が天井或いは壁面であることが好ましい。
【００３２】
本発明の間接照明システムにおいては、前記光源がＬＥＤであることが好ましい。
【発明の効果】
【００３３】
本発明によれば、光源からの照射光による輝度ムラを抑制し、かつ照射面を広範囲に亘って均一に照らす間接照明システム、及び該システムに使用する照明装置を提供することができる。
【図面の簡単な説明】
【００３４】
【図１】本発明の実施の形態に係る照明装置に用いられる光透過性パネルにおける透過光強度と拡散角度との関係を示す図である。
【図２】本発明の実施の形態に係る照明装置に用いられる光透過性パネルにおける拡散角度の定義の説明図である。
【図３】本発明の実施の形態に係る照明装置の一例を示す模式図である。
【図４】本発明の実施の形態に係る照明装置の他の例を示す模式図である。
【図５】（ａ）、（ｂ）は、本発明の実施の形態に係る間接照明システムの一例を示す側面断面図である。
【図６】本発明の実施の形態に係る間接照明システムの側面断面図である。
【図７】実施例１の壁面照明の様子を示す写真である。
【図８】実施例２の壁面照明の様子を示す写真である。
【図９】比較例１の壁面照明の様子を示す写真である。
【発明を実施するための形態】
【００３５】
本発明の実施の形態について、以下に具体的に説明する。
本発明に係る照明装置は、複数の光源と、光源からの出光方向に設けられた光透過性パネルとを具備しており、光透過性パネルは、光源からの光が入光する入光面及び光源からの光が出光する出光面を有する。このような照明装置を所定の面、または所定の面に垂直な面に設置することで、所定の面の広い範囲を均一に照らす機能を発現する間接照明システムを構築できる。
【００３６】
本発明に用いることのできる光源としては、蛍光灯、白熱電球、ミニクリプトン球、キセノンランプ、ＬＥＤ光源等の光源や、各種点光源などが挙げられる。ＬＥＤ光源は、指向性が強く、レンズや反射板と組み合わせることによって配光特性を制御したり、１／２ビーム角を狭くしたりすることが容易であるため、本発明に用いる光源として好適である。ここでいう１／２ビーム角（以下ビーム角）とは、照明装置あるいは光源から出光する光が最大光度を示す方向と、該最大光度の１／２の光度を示す方向とのなす角度の２倍の角度をいう。
【００３７】
本発明においては、１／２ビーム角が０．１度〜３０度である光源を用いる。１／２ビーム角が３０度より小さいと光透過性パネルを用いた配光制御が容易となり、所定の面を均一に広く照らすことができるため、好ましい。一方、１／２ビーム角が０．１度より大きいものを用いることにより、１／２ビーム角の制御が容易となるため、好ましい。なお、１／２ビーム角が０．１°より小さいものを用いることもできる。光源の１／２ビーム角としては、好ましくは１度〜３０度であり、より好ましくは１度〜２０度である。
【００３８】
本発明に用いることができる光源としては、例えば、ダウンライト（パナソニック電工社製、ＮＮＦ２１６１０Ｃ）が挙げられる。このダウンライトは、ＬＥＤと集光レンズとを組み合わせることで１／２ビーム角が１５度以下と狭く、且つＬＥＤ光源を４灯有している。また、１／２ビーム角が３０度を大幅に超える光源に対して、集光レンズや遮光板などを用いて１／２ビーム角を０．１度〜３０度に制御して用いることもできる。また、ＬＥＤチップを直線的に実装し、集光レンズや遮光板などを組み合わせて１／２ビーム角を０．１度〜３０度の光源としても構わない。
【００３９】
これら１／２ビーム角が０．１度〜３０度の光源、例えばダウンライト（パナソニック電工社製、ＮＮＦ２１６１０Ｃ）を天井に設置してそのまま壁面照明として用いた場合、つまり本発明に係る光透過性パネルを配置しない場合、光源から１０００ｍｍ以上離れた壁面付近を明るく照らすことは可能だが、光源から２５０ｍｍ程度の壁面輝度が低く、壁面の輝度ムラが大きくなってしまう。
【００４０】
次に、本発明に用いられる所定の拡散角度を有する光透過性パネルについて説明する。本発明に係る照明装置においては、光源の照射側（出光方向）に凹凸形状（凹凸部）を有する光透過性パネルが光源に対向するように配置する（以下、凹凸形状が形成された面を凹凸形状面ともいう）。凹凸形状は、光源からの光を入光する入光面、光源からの光を出光する出光面のいずれか一方の主面、または両方の主面に設けられている。特に、光源からの光を効率よく拡散させるために、入光面に凹凸形状を有することが好ましい。
【００４１】
光源からの光を所定の面に広い範囲で均一に照らすためには特定の配光制御機能が必要である。従来においては、内部に拡散剤を含有する拡散板を用い、配光制御を行っていたが、この方法によると、広範囲を照らすことが困難であり、また光の透過率低下に伴い、光の利用効率が低くなるという問題がある。凹凸形状を有する光透過性パネルによる配光制御を行うことにより、光の利用効率を高くすると同時に、広範囲の配光制御が可能となる。
【００４２】
なお、本発明に係る光透過性パネルの凹凸形状とは、例えば、表面に多数の突起部が設けられた形状である。突起部の形状は、略円錐状、略球状、略楕円体状、略レンチキュラーレンズ状、略放物面状のいずれでもよく、各突起部は、規則的に配列していても、不規則に配列していてもよい。また、突起部間は連続的な曲面でつながっていてもよい。また、不規則な凹凸が連続的な曲面でつながっている擬似ランダム構造も、好ましく用いることができる。この擬似ランダム構造としては、干渉露光によるスペックルパターンを用いて形成された、微細な３次元構造であることが好ましい。
【００４３】
次に、図１及び図２を参照して光透過性パネルの拡散角度について説明する。図１は、本発明の実施の形態に係る光透過性パネルにおける透過光強度と拡散角度との関係を示す図であり、図２は、本発明の実施の形態に係る照明装置に用いられる光透過性パネルにおける拡散角度の定義の説明図である。図１及び図２に示すように、光透過性パネルの入光領域に入射した入射光は、光透過性パネルの凹凸部によって拡散され、出光面側から透過光として出光する。このため、光透過性パネルから出光する透過光は、光透過性パネルの出光面に対する角度に応じて透過光強度が減衰される。
【００４４】
本発明において、「拡散角度」とは、透過光強度（図１中の縦軸は相対値）がピーク強度の半分に減衰する角（半値角）の２倍の角度（ＦＷＨＭ：ＦＵＬＬ  Ｗｉｄｔｈ  Ｈａｌｆ  Ｍａｘｉｍｕｍ）をいう。この拡散角度は、例えば変角光度計（日本電色工業社製、ＧＣ５０００Ｌ）で、光透過性パネルの凹凸形状面を入光面とし、凹凸形状面の法線方向に入射した光に対する透過光強度の角度分布を測定することによって求められる。ここで、光透過性パネルの法線方向とは、図２に示すように、光透過性パネルの凹凸形状面に対する垂直方向を指す。図１中、透過光強度が最も高くなる基準角度（０度）が、入射光の法線方向と光透過性パネルとの交点に相当する。なお、光透過性パネルの拡散角度が少なくとも２種以上の水準を有することにより、均一で広い範囲を照射することが可能になる。
【００４５】
本発明に用いられる光透過性パネルは、複数の光源のうちの１つの光源の直上領域の拡散角度が複数の光源のうちの少なくとも他の１つの光源の直上領域の拡散角度と異なり、各光源の直上に位置する光透過性パネルの拡散角度のうち最大の拡散角度が１０度〜１２０度の範囲内にある。照射面の輝度を均一化するため、最大の拡散角度は１５度から１００度の範囲内にあることが好ましく、さらに好ましくは２０度から９０度の範囲内であり、２５度から８０度の範囲内にあることが最も好ましい。
【００４６】
本発明に係る照明装置において、光源の直上領域とは、光源の出光方向における光透過性パネルとの交点を含む領域である。ここで、本発明の実施の形態に係る照明装置における光源の直上領域について説明する。図３は、本発明の実施の形態に係る照明装置の一例を示す模式図である。この照明装置１は、基板１１と、基板１１上において離間して配置された２つの光源Ａ１２及び光源Ｂ１３と、基板１１に対して平行に配置された光透過性パネル１４とを備える。
【００４７】
図３に示す照明装置１において、光源Ａ１２及び光源Ｂ１３の出光方向Ｄ１は、基板１１面に対する垂直方向となる。このため、光源Ａ１２の直上領域は、光源Ａ１２上の基板１１面に対する垂直方向における仮想直線（図３の破線Ｌ１参照）と光透過性パネル１４との交点Ｐ１を含む領域となる。また、光源Ｂ１３の直上領域は、光源Ｂ１３上の基板１１面に対する垂直方向における仮想直線（図３の破線Ｌ２参照）と光透過性パネル１４との交点Ｐ２を含む領域となる。なお、基板１１と光透過性パネル１４とを平行に配置した場合、光源Ａ１２と光透過性パネル１４の交点Ｐ１との間の距離が最短距離となり、光源Ｂ１３と光透過性パネル１４の交点Ｐ２との間の距離が最短距離となる。
【００４８】
また、レンズ或いはリフレクターと光源とを組み合せて照明装置を構成してもよい。図４は、本発明の実施の形態に係る照明装置の他の例を示す模式図である。この照明装置２は、光透過性パネル２１と、光透過性パネル２１の一方の主面側において対向配置された凹状のリフレクター２２及びレンズ２３と、を備える。リフレクター２２の底部には光源Ｃ２４が配置され、レンズ２３の底部には光源Ｄ２５が配置されている。
【００４９】
図４に示す照明装置２において、光源Ｃ２４の出光方向Ｄ２は、光源Ｃ２４からリフレクター２２の開口縁部の中心点Ｃ１に向けた方向となる。このため、光源Ｃ２４の直上領域は、光源Ｃ２４と開口縁部の中心点Ｃ１とを含む仮想直線（図４の破線Ｌ３参照）と光透過性パネル２１との交点Ｐ３を含む領域となる。また、光源Ｄ２５の出光方向Ｄ３は、光源Ｄ２５からレンズ２３の中心点Ｃ２に向けた方向となる。このため、光源Ｄ２５の直上領域は、光源Ｃ２５とレンズ２３の中心点Ｃ２とを含む仮想直線（図４の破線Ｌ４参照）と光透過性パネル２１との交点Ｐ４を含む領域となる。なお、図４に示す照明装置２においては、交点Ｐ３において、出光方向Ｄ３と光透過性パネル２１の主面とが直交するため、光源Ｃ２４と光透過性パネル２１との間の距離が最短距離となる。また、交点Ｐ４において、出光方向Ｄ４と光透過性パネル２１の主面とが直交するため、光源Ｄ２５と光透過性パネル２１との間の距離が最短距離となる。
【００５０】
本発明に用いられる光透過性パネルは等方拡散性を有し、光透過性パネルにおいて複数の光源の直上領域の拡散角度の最大値と最小値との差が２０度以上であることが好ましい。等方拡散性とは、シート面内の各点において、どの方向においても拡散角度が等しいことを意味する。等方拡散性を有し、拡散角度の最大値と最小値との差が２０度以上であることにより、光源のビーム角を広い範囲で制御し、光源の近くから光源の遠くまでの、より広い範囲を照射することができるようになる。また、拡散角度の最大値と最小値との差が８０度以下であることにより、照射物を広い範囲で連続的に照射することが可能となる。
【００５１】
また、ここでいう拡散角度の最小値とは、光透過性パネルを外観目視した場合の透明性により判別可能である。具体的には、外観目視により透明性の高い部分任意５点について拡散角度を測定してその平均値を拡散角度の最小値とし、該透明性の高い部分よりも透明性の低い部分の拡散角度を同様にして測定してその平均値を拡散角度の最大値とした。このようにして測定した最大値と最小値との差を比較することにより、拡散角度の最大値と最小値との差が２０度以上であることを判別可能である。例えば、拡散パネルのある位置における拡散角度の最小値が３０度の場合、外観目視で透明度の低い部分の拡散角度が５０度である場合、５０度と８０度である場合が該当するものとして例示される。
【００５２】
本発明に用いる光透過性パネルは、透過光（透過拡散光）が異方拡散性を有していてもよい。ここで、異方拡散性とは、光透過性パネルの凹凸形状面に垂直に平行光線を入射した場合の透過光が楕円形状になることを言う。具体的には、凹凸形状面に垂直に平行光線を入射した場合の透過拡散光の拡散角度が最大値を示す方向での拡散角度Ｅと、最小値を示す方向での拡散角度Ｆの拡散角度比Ｅ／Ｆ（以下、異方度とする）が１．５〜２００の範囲が好ましい。
【００５３】
本発明に用いられる光透過性パネルは異方拡散性を有し、光透過性パネルにおいて複数の光源の各直上領域での、拡散角度Ｅの最大値と最小値との差が２０度以上であるか、異方度Ｅ／Ｆの差が１以上であることが好ましい。拡散角度Ｅの最大値と最小値との差が２０度以上であることにより、光源のビーム角を広い範囲で制御し、光源の近くから光源の遠くまでの、より広い範囲を照射することができるようになる。また、拡散角度Ｅの最大値と最小値との差は、８０度以下であることにより、照射物を広い範囲で連続的に照射することが可能となる。
【００５４】
さらに、異方度Ｅ／Ｆの差が１以上であることにより、光源からの光の出光方向による強弱を制御し、意図する照射状態を達成できる効果が高くなる。また、拡散角度Ｅの最大値と最小値との差が２０度以上であり、かつ、異方度Ｅ／Ｆの差が１以上であるような構成も、好ましく用いられる。
【００５５】
照射面輝度を均一にしたり、広い範囲を照射したりするために、異方度を適宜調整することが好ましい。例えば、光源の配置間隔を均一にできない場合、異方度を配置間隔に応じて高くまたは低くすることにより、照射面輝度を均一にできる。また、異方拡散性を利用し、照明装置の光源ごと（領域ごと）に出光範囲を制御することもできる。
【００５６】
本発明に用いられる光透過性パネルは、等方拡散性を有する部分と、異方拡散性を有する部分の組合せによって構成されていることも好ましい。本発明の照明装置により、主となる照射面以外も同時に照明したいような場合、等方拡散性と異方拡散性を有する部分を組合せ、出光を制御しても良い。また、等方拡散性を示す部分と異方拡散性を示す部分を光源毎に交互に配置するような形態としても良い。
【００５７】
本発明に用いる光透過性パネルにおいては、拡散角度が、光源の直上領域からの距離に応じて異なっていてもよく、周期的に変化してもよい。また、拡散角度は、光源の直上領域からの距離に応じて、連続的に変化しても、不連続的に変化してもよい。
【００５８】
また、本発明に用いる光透過性パネルは、複数の光源全体を覆うような一枚のパネルとなっていてもよく、また、一つまたは複数の光源の一部を覆う単位パネルを複数配列させたものであってもよい。すなわち、光透過性パネルが、光透過性を有する複数の単位パネルにより構成され、単位パネルが、各光源上に配置された構成も好ましく用いることができる。単位パネルは、各光源と一対一に対応していてもよく、複数の光源毎に一つの単位パネルを用いてもよい。光源と単位パネルを一つのユニットとして用いることで、所定の面に設置するときの自由度が増すため好ましい。さらに、光透過性パネルが一枚のパネルとなっている場合、部分的、例えば光源間の直上近傍を凹凸形状のない略平滑面とする構成、光源間の直上近傍に穴（開口部）を設ける構成とすることにより、部分的に拡散角度を０度にすることができ、照度向上の観点から好ましい。なお上述した単位パネルを複数配列させる構成も同様に、部分的に拡散角度を０度とすることが容易に実現できる点で好ましい。
【００５９】
次に、本発明に用いられる光透過性パネルの製造方法について説明する。
本発明に用いられる光透過性パネルに凹凸形状を賦形する方法としては、凹凸形状を有する金型を用いた射出成形法、凹凸形状を有する転写ロール（マスタ型）とベースフィルムとＵＶ硬化性樹脂などを用いてロールｔｏロールにより連続でフィルム上に凹凸形状を形成する転写法などが挙げられる。
【００６０】
凹凸形状を有する金型や転写ロールを製作する方法として、干渉露光による方法が好ましい。干渉露光による凹凸形状の形成とは、ディフューザーに光を当てた面の各点で拡散されたコヒーレント光が不規則な位相関係で干渉しあうことによって生じる不規則な輝度斑（スペックル）を感光性材料に露光、現像することによって凹凸形状を形成させる方法である。
【００６１】
干渉露光によって得られる凹凸形状は微細な３次元構造を持っており、スペックルパターンを制御することで凹凸形状を形成することができる。なお、この微細な３次元構造は、複数の凹凸構造で構成されている。凹凸形状の高さ及びピッチは不規則であり、擬似ランダム形状である。この凹凸形状のピッチ及び高さは人間の目の分解能以下、すなわち２０μｍ以下とすることによって目立ちにくくなるために好ましい。また、製造時や取扱の容易さを考え、１μｍ以上とすることが好ましい。
【００６２】
具体的には、次のようにして形成することができる。まず、予め干渉露光によりスペックルパターンを形成したサブマスタ型を作製し、このサブマスタ型に電鋳などの方法で金属を被着してこの金属にスペックルパターンを転写してマスタ型を作製する。光透過性樹脂層に、上記マスタ型を用いて紫外線による腑形を行って光透過性樹脂層の表面にスペックルパターンを転写する。このサブマスタ型の詳細な製造方法については、特許第３４１３５１９号公報に開示されている。この内容はすべてここに含めておく。
【００６３】
スペックルパターンの寸法、形状及び方向を調節することにより、拡散角度や拡散角度比Ｅ／Ｆを制御することができ、所望する指向角度や拡散角度に応じてスペックルパターンを決定することができる。このスペックルパターンの詳細な製法については、特許第３３９０９５４号公報に開示されている。この内容はすべてここに含めておく。拡散角度は凹凸構造のピッチ、高さ、アスペクト比を変えて制御しても構わないし、紫外線硬化される光透過性樹脂層の屈折率を変えて制御しても構わない。
【００６４】
本発明に用いられる光透過性パネルは、凹凸形状面から入射したときのＪＩＳ  Ｋ７３６１−１に定める全光線透過率が７０％以上であることが好ましく、更に好ましくは８０％以上、最も好ましくは９０％以上である。光透過性パネルの全光線透過率を７０％以上とすることで、光源から照射された光を有効に活用でき、省電力化の観点から好ましいものとなる。光透過性パネルの厚みは、取扱性、コストの観点から０．１ｍｍ〜５ｍｍであることが好ましい。
【００６５】
本発明に用いられる光透過性パネルは、凹凸形状を有するフィルムを作製後、ポリメチルメタクリレートやポリカーボネート、ガラスなどの光透過性材料からなる支持体に粘着材や熱転写などによって貼り合わせても構わない。支持体としては、ポリエチレンテレフタレート、ポリカーボネート、ポリメチルメタクリレート、ガラスなど、ＪＩＳ  Ｋ７３６１−１に定める全光線透過率が７０％以上の透光性材料であれば構わない。
【００６６】
本発明に用いられる光透過性パネルは、凹凸形状が表裏両面に形成されていても構わない。また、本発明に用いられる光透過性パネルは、凹凸形状を有する面を光源からの入光面として配設することが好ましい。
【００６７】
本発明に用いられる光透過性パネルは、凹凸形状を有する面の反対面に変角用プリズム形状を有することも好ましい。変角用プリズム形状を有することで照射された光の進行方向を変えることができ、照明装置の設置方向を変えなくても後述する最大光度軸角度（θ）を変更できるものである。
【００６８】
本発明に用いられる光透過性パネルは、表面に反射防止膜をコーティングすることも好ましい。反射防止膜をコーティングすることによって全光線透過率を向上させることができるため、照射光の有効活用に繋がり、省エネの観点から好ましいものとなる。
【００６９】
次に、上記実施の形態に係る照明装置を用いた間接照明システムについて説明する。本発明に係る間接照明システムにおいて、照明装置は、所定の照射面上、または、所定の照射面に対し略垂直な方向に一定の距離だけ離れた地点に配置される。また、該照明装置を所定の照射面に略平行にライン状に配列することができる。このようにして、所定の照射面、例えば、壁面や天井面、床面、を広く均一に照らすことができる。照明装置は、照らしたい所定の面に応じて、ライン状に増やすことでその照射幅を広げることが可能である。その場合、ライン状に設置する照明装置間の間隔は、１０００ｍｍ以下の範囲で調整することができる。
【００７０】
図５（ａ）は、本発明に係る光透過性パネルを配設した間接照明システムの一例を示す模式図である。図５（ａ）に示す間接照明システム３０は、基板３１上に２つの照明装置３２ａ、３２ｂを離間して配置した例を示している。各照明装置３２ａ、３２ｂは、それぞれ点光源としてのＬＥＤチップ３３ａ、３３ｂと、ＬＥＤチップ３３ａ、３３ｂからの光の１／２ビーム角を制御する集光レンズ３４ａ、３４ｂと、集光レンズ３４ａ、３４ｂからの光を拡散する光透過性パネル３５ａ、３５ｂと、を備える。
【００７１】
ＬＥＤチップ３３ａ、３３ｂは、隣接する照明装置３２ａ、３２ｂのＬＥＤチップ３３ａ、３３ｂ同士が所定の間隔をとって基板３１の一方の主面上に複数実装される。集光レンズ３４ａ、３４ｂは、各ＬＥＤチップ３３ａ、３３ｂを覆うように基板３１上に配置される。光透過性パネル３５ａ、３５ｂは、その一対の主面の一方の主面に凹凸形状が形成され、この凹凸形状を有する面がＬＥＤチップ３３ａ、３３ｂ及び集光レンズ３４ａ、３４ｂと対向するようにＬＥＤチップ３３ａ、３３ｂとの間に所定の間隔をとって配置される。そして、この光透過性パネル３５ａ、３５ｂの主面が所定の照射面に対して略垂直になるように、光透過性パネル３５ａ、３５ｂを所定の照射面または他の面に取り付ける。これにより、所定の照射面に対して略垂直な方向に所定の照射面に沿ってライン状（直線状）にＬＥＤチップ３３ａ、３３ｂが並設される。なお、図５（ａ）に示す間接照明システムにおいては、ＬＥＤチップ３３ａに対して光透過性パネル３５ａを配置し、ＬＥＤチップ３３ｂに対して光透過性パネル３５ｂを配置する構成としたが、図５（ｂ）に示すように、２つのＬＥＤチップ３３ａ、３３ｂに対して１つの光透過性パネル３６を配置する構成としてもよい。
【００７２】
本発明に係る間接照明システムにおいては、最大光度軸角度（θ）が０度〜３０度となるよう光源と光透過性パネルとを備える照明装置を所定の照射面などに設置する。ここでいう最大光度軸角度（θ）とは、照明装置から照射される光の最大光度を示す軸方向と所定の照射面に対する平行線とがなす角度のことをいう。最大光度軸角度（θ）が３０度以下であれば、照明装置から離れた照射面、例えば光源から１０００ｍｍ程度離れた照射面の輝度が高くなる。つまり、最大光度軸角度（θ）を０度〜３０度となるよう設置することで、光透過性パネルによって照射範囲を制御し、輝度ムラを低減する効果が高くなるため、所定の照射面において、照明装置に近い位置から遠い位置まで照射光を伸ばし、輝度ムラを解消して均一に照射することが可能となるものである。
【００７３】
本発明に係る間接照明システムを構成する光透過性パネルは、異方拡散性を示す領域を有し、かつ当該領域において所定の照射面に対して平行方向の拡散角度の方が、直交方向の拡散角度よりも高いことが好ましい。
【００７４】
本発明に係る間接照明システムにおいて、照明装置の光源の配置間隔が広い、あるいは１／２ビーム角が小さい場合、各光源によって照射される領域が帯状になり、照射面に輝度ムラが生じてしまう恐れがある。ここで、照射面と平行方向へより光を広げることにより、輝度ムラを解消することができる。
【００７５】
また、目的に応じ、本発明の間接照明システムを構成する光透過性パネルは、異方拡散性を示す領域を有し、かつ所定の照射面に対して平行方向の拡散角度の方が、直交方向の拡散角度よりも低いことが好ましい。
【００７６】
本発明に係る間接照明システムにおいて、照明装置を所定の最大光度軸角度で設置した場合、照射面の、照明装置近傍における照射状態は設置角度に大きく依存する。ここで、照射面と直交方向へより光を広げることにより、照明装置の設置状態を変えることなく、照明装置近傍の領域を明るく照射することができ、特に光源の配列間隔が狭い場合に好ましく用いられる。
【００７７】
本発明に係る間接照明システムにおいては、光源の中心部から所定の照射面までの距離（Ｌ）が５０ｍｍ〜２００ｍｍであることが好ましい。距離（Ｌ）が５０ｍｍより大きくなることにより、照射光を照射面の遠くまで伸ばすことができる。一方、距離（Ｌ）が２００ｍｍよりも小さくなることにより、照明装置全体のサイズを所定の寸法内に収めることができる。また、コーニス照明システムとして用いる場合においては、天井に埋め込むスペースを削減することができ、外観上好ましい。
【００７８】
次に、本発明に係る間接照明システムを用いた場合の所定の照射面の輝度について図６を用いて説明する。不図示の光源と光透過性パネルとを備えた照明装置４１を所定の照射面４２から距離Ｌに設置し、所定の照射面４２における照明装置４１からの所定の照射面４２に対する平行方向の距離をＨとし、それぞれ光源からの距離（Ｈ）２５０ｍｍにおける所定の照射面輝度をＡとし、それぞれ光源からの距離（Ｈ）５００ｍｍにおける所定の照射面輝度をＢとし、それぞれ光源からの距離（Ｈ）１０００ｍｍにおける所定の照射面輝度をＣとした場合、Ａ／Ｂ及びＢ／Ｃを０．６〜３．０に調整することが好ましい。照射面の輝度が均一であるように、Ａ／Ｂ及びＢ／Ｃは、０．８〜２．０の範囲に調整することがより好ましい。すなわち、光源に近い位置から遠い位置まで輝度ムラを抑え、均一に照射することが可能となる。
【００７９】
次に、本発明の光透過性パネルの拡散角度の選択方法について図６を用いて説明する。まず、本発明の照明装置の設置条件（光源の中心から所定の照射面までの距離Ｌ、最大光度軸角度θ）を決め、所定の照射面輝度を見ながら光透過性パネルの拡散角度を決定する。次に、まず、複数の光源が配列される方向（光源配列と平行方向）に輝度ムラが発生しないように拡散角度を決定する。具体的には光源が配列される方向に輝度ムラが発生した場合は一部または全部の単位パネルを拡散角度がより大きい単位パネルと交換する。
【００８０】
次に、複数の光源が配列される方向と垂直な方向に輝度ムラが発生しないように拡散角度を調整する。具体的には、所定の照射面輝度Ａ、Ｂ、Ｃの値により拡散角度を変更することになるが、例えばＡが暗い場合、拡散角度がより大きい単位パネルを増やすことでＡの輝度を高めることができる。また、Ｃが暗い場合、拡散角度がより小さい単位パネルを増やすことでＣの輝度を高めることができる。即ち、Ａ／Ｂ及びＢ／Ｃが０．６〜３．０となるように光透過性パネルの拡散角度の構成を変更する。
【００８１】
なお、光透過性パネルの拡散角度は、上述の例とは順序を変え、複数の光源が配列される方向と垂直な方向に輝度ムラが発生しないように拡散角度を調整した後、引き続き、複数の光源が配列される方向に輝度ムラが発生しないように調整しても良い。
【００８２】
本発明に係る間接照明システムは、照明装置を天井と壁面の境界に設置するコーニス照明として好ましく用いることができる。ＬＥＤ光源と光透過性パネルからなる照明装置はコンパクトにできるため、小さなスペースに埋め込むことが容易である。
【００８３】
本発明に係る間接照明システムにおいて、例えば上記コーニス照明とした場合、光源に近い位置の壁面、例えば２５０ｍｍ程度離れた壁面から、点光源から遠い位置の壁面、例えば１０００ｍｍ程度離れた壁面まで、輝度ムラを抑えつつ照射光を床方向に伸ばすことができ、奥行き感を持たせ空間を広く見せる効果が得られる。
【００８４】
本発明に係る間接照明システムにおいて、点光源の色温度としては２５００Ｋ〜４０００Ｋのものが好ましく用いられ、特に２８００Ｋ〜３５００Ｋのものがより好ましく用いられる。色温度をこの範囲にすることにより、人がリラックスできる環境を提供することができる。
【実施例】
【００８５】
次に、本発明の効果を明確にするために行った実施例について説明するが、本発明はこれらに限定されるものではない。なお、本実施例は、本発明に係る間接照明システムを壁面照明に適用した例である。
【００８６】
［ライン状ＬＥＤ照明装置］
アルミダイキャスト製の基板上に、集光レンズ付きＬＥＤ光源（１／２ビーム角＝１１度）を６０ｍｍピッチで直線状に１６個設置した。
【００８７】
［光透過性パネル］
スペックルパターンを制御して各種拡散角度に対応する凹凸形状を有するマスタ型を作製した。次いで、ポリエチレンテレフタレート基材（厚み１８８μｍ）とＵＶ硬化性樹脂を用いた転写法にて各種拡散角度に対応する凹凸形状を有する光透過性パネルを作製した。
【００８８】
作製した光透過性パネルの凹凸形状を有する面から、平行光線を入射させ、変角光度計（日本電色工業社製、ＧＣ−５０００Ｌ）で拡散角度を測定した。これらの結果を下記表１に要約した。光透過性パネルのサンプル名称は下記表１に準じて表現した。
【００８９】
［光透過性パネルのセッティング］
ＬＥＤ光源の照射側、集光レンズに接するように、光透過性パネルの凹凸形状を有する面を光源からの入光面側となるように配置した。
【００９０】
［ＬＥＤ光源と光透過性パネルを備えた照明装置のセッティング］
照明装置は、直線状に配列された１６個のＬＥＤ光源が白色の壁紙（反射率６５％）が貼られた壁面に対して平行になるように設置した。また、照明装置は、図６において、壁面距離Ｌ＝１５０ｍｍ、最大光度軸角度＝８度となるように照明装置を設置した。
【００９１】
［壁面輝度（照射面輝度）の測定］
実施例においては、複数の光源が配列される方向（光源配列と平行方向）に輝度ムラが発生しないように、かつ、壁面輝度Ａ、Ｂ、Ｃの輝度比を測定し（図６参照）、Ａ／Ｂ及びＢ／Ｃが０．６〜３．０となるよう光透過性パネルの拡散角度の構成を調整した。壁面輝度は、輝度計（コニカミノルタセンシング社製、ＬＳ−１１０）を使用して測定した。なお、壁面輝度Ａ、Ｂ、Ｃは、ＬＥＤ光源の配列方向の中央に位置する２つの光源について、それぞれの中心から出光方向に輝度を測定した値の平均をとった。
【００９２】
［実施例１］
光透過性パネルは、ＬＥＤ光源毎に、拡散角度５度の単位パネルと拡散角度３０度の単位パネルとを交互に配設した。輝度の測定結果を下記表１に、照射された壁面の写真を図７に示した。光源配列と平行方向における輝度ムラはなく、壁面輝度の輝度比は、Ａ／Ｂ＝０．７、Ｂ／Ｃ＝１．４で輝度斑が少なく、照射光が照明装置近くの壁面からから床方向まで均一に伸びており、きれいな壁面照明であった。
【００９３】
［実施例２］
実施例１と同様の配置で、光透過性パネルは、ＬＥＤ光源毎に、拡散角度５度の単位パネルと拡散角度３０度の単位パネルと拡散角度６０度の単位パネルを繰り返す順序で配設した。輝度の測定結果を下記表１に、照射された壁面の様子を図８に示した。光源配列と平行方向における輝度ムラはなく、壁面輝度の輝度比は、Ａ／Ｂ＝１．４、Ｂ／Ｃ＝２．０で輝度ムラが少なく、照明装置近くの壁面から床方向まで均一に照射光が伸びており、きれいな壁面照明であった。
【００９４】
［実施例３］
実施例１と同様の配置で、光透過性パネルは、ＬＥＤ光源毎に、拡散角度２０度の単位パネルと拡散角度が６０度ｘ２０度の単位パネルを交互に配設した。ここで、拡散角度が異方性を有する単位パネルは全て、壁面と平行方向の拡散角度が６０度となるように配置した。輝度の測定結果を下記表１に示した。光源配列と平行方向における輝度ムラはなく、壁面輝度の輝度比は、Ａ／Ｂ＝０．８、Ｂ／Ｃ＝２．０で、照明装置近くの壁面から床方向まで均一に照射光が伸びており、輝度ムラが少なくきれいな壁面照明であった。なお、拡散角度が６０度ｘ２０度とは、拡散角度が最大値を示す方向の拡散角度が６０度であり、拡散角度が最小を示す方向の拡散角度が２０度であることを示し、以下も同様である。
【００９５】
［実施例４］
実施例１と同様の配置で、光透過性パネルは、ＬＥＤ光源毎に、拡散角度６０度ｘ１度の単位パネルと拡散角度６０度ｘ２０度の単位パネルを交互に配設した。ここで、単位パネルは全て、壁面と平行方向の拡散角度が６０度となるように配置した。輝度の測定結果を下記表１に示した。光源配列と平行方向における輝度ムラはなく、壁面輝度の輝度比は、Ａ／Ｂ＝１．０、Ｂ／Ｃ＝１．２で、照明装置近くの壁面から床方向まで均一に照射光が伸びており、輝度ムラが少なくきれいな壁面照明であった。
【００９６】
［比較例１］
光透過性パネルは配設しなかった。ＬＥＤ光源のみを実施例１と同様に設置した。そのときの輝度の測定結果を下記表１に、照射された壁面の様子を図９に示した。照射光は床方向へ伸びているが、壁面輝度の輝度比は、Ａ／Ｂ＝０．９、Ｂ／Ｃ＝０．５で、照明装置近くの壁面から床方向までの光の伸びが不均一であり、また、光源配列と平行方向における輝度ムラが大きく、きれいな壁面照明ではなかった。
【００９７】
[比較例２]
実施例１と同様の配置で、光透過性パネルは全て、拡散角度５度のものを配設した。輝度の測定結果を下記表１に示した。照射光は床方向へ伸びており、壁面輝度の輝度比は、Ａ／Ｂ＝１．０、Ｂ／Ｃ＝０．６であったが、光源配列と平行方向における輝度ムラが大きく、きれいな壁面照明ではなかった。
【００９８】
[比較例３]
実施例１と同様の配置で、光透過性パネルは全て、拡散角度６０度のものを配設した。輝度の測定結果を下記表１に示した。光源配列と平行方向における輝度ムラはなく、照射光は床方向へ伸びているが、壁面輝度の輝度比は、Ａ／Ｂ＝１．４、Ｂ／Ｃ＝４．５で、照明装置近くの壁面から床方向までの光の伸びが不均一となり、きれいな壁面照明ではなかった。
【００９９】
【表１】
2011014533.tif 000003
【０１００】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【０１０１】
例えば、上記実施の形態に係る照明装置１においては、基板１１と光透過性パネル１４とが平行に配置された構成について説明したが、基板１１と光透過性パネル１４とは必ずしも完全に平行に配置する必要はない。また、基板１１と光透過性パネル１４とを非平行に配置する場合においては、光透過性パネル１４の凹凸形状面を調整することにより配向制御を行うことができる。
【０１０２】
また、上記実施の形態に係る照明装置２においては、光透過性パネル２１の主面に対し、光源Ｃ２４の出光方向Ｄ２及び光源Ｃ２５の出光方向Ｄ３がそれぞれ直交する構成について説明したが、光源Ｃ２４の出光方向Ｄ２及び光源Ｃ２５の出光方向Ｄ３は、必ずしも光透過性パネル２１に対して直交して配置する必要はない。この場合においては、光源Ｃ２４の直上領域の光透過性パネル２１の凹凸形状及び光源Ｃ２５の直上領域の光透過性パネル２１の凹凸形状を調整することにより配向制御を行うことができる。
【産業上の利用可能性】
【０１０３】
本発明の照明装置及び間接照明システムは、光源からの照射光を例えば天井面から壁面に照射した場合、輝度斑を抑えつつ床方向へ伸ばすことができるので、住宅や店舗の間接照明としての利用が期待できる。
【符号の説明】
【０１０４】
１、２、３２ａ、３２ｂ、４１  照明装置
１１、３１  基板
１２  光源Ａ
１３  光源Ｂ
１４、２１、３５ａ、３５ｂ、３６  光透過性パネル
２２  リフレクター
２３  レンズ、
２４  光源Ｃ
２５  光源Ｄ
３０…間接照明システム装置
３３ａ、３３ｂ  ＬＥＤチップ
３４ａ、３４ｂ  集光レンズ
４２  照射面、
【図１】
2011014533.tif 000004
【図２】
2011014533.tif 000005
【図３】
2011014533.tif 000006
【図４】
2011014533.tif 000007
【図５】
2011014533.tif 000008
【図６】
2011014533.tif 000009
【図７】
2011014533.tif 000010
【図８】
2011014533.tif 000011
【図９】
2011014533.tif 000012